(57)【特許請求の範囲】
【請求項１】
複数の発光素子と、複数の発光素子に共通に設けられ、各発光素子に供給するための電気エネルギーを蓄える電気エネルギー蓄積手段と、電気エネルギー蓄積手段に蓄えられている電気エネルギーの各発光素子への供給を制御する制御手段とを備え、前記制御手段は、複数の発光素子に共通に設けられた前記電気エネルギー蓄積手段に蓄えられている電気エネルギーを、順方向電圧の高い発光素子から順に、各発光素子に時間的にタイミングをずらして供給して発光させ、順方向電圧の低い発光素子の発光により、前記電気エネルギー蓄積手段から供給される電圧が順方向電圧の高い発光素子の順方向電圧よりも低くなるようになっていることを特徴とする感知器。
【請求項２】
請求項１記載の感知器において、前記複数の発光素子として青色ＬＥＤと近赤外ＬＥＤとが用いられる場合、前記制御手段は、複数の発光素子に共通に設けられた前記電気エネルギー蓄積手段に蓄えられている電気エネルギーを、青色ＬＥＤ，近赤外ＬＥＤの順に時間的にタイミングをずらして供給することを特徴とする感知器。
【請求項３】
請求項１または請求項２記載の感知器において、前記電気エネルギー蓄積手段は、１つのコンデンサにより構成されていることを特徴とする感知器。
【発明の詳細な説明】
【０００１】
【発明の属する技術分野】
本発明は、煙などの物理現象を感知する感知器に関する。
【０００２】
【従来の技術】
図１は従来の光電式感知器の構成例を示す図である。図１を参照すると、この光電式感知器は、この感知器全体の制御を行なう制御手段（例えばＣＰＵ）１０１と、制御手段１０１によって駆動されるときに波長λの光を出射する発光手段１０２と、発光手段１０２から出射される波長λの光の散乱光（発光手段１０１から出射された光が例えば煙などによって散乱された光）を受光する受光手段１０３と、受光手段１０３からの散乱光出力（例えば煙濃度などの物理量を反映している）が所定のレベルに達したか否かにより、例えば火災か否かを判別する判別手段１０４と、判別手段１０４の判別結果を出力する出力手段１０５とを有している。なお、発光手段１０２と受光手段１０３との間の空間Ｅは、検出対象である例えば煙が存在しうる環境である。
【０００３】
ここで、発光手段１０２は図２のような回路構成になっている。すなわち、図２を参照すると、発光手段１０２は、制御手段１０１からの駆動信号ＣＴＬによって駆動制御されるときに波長λの光を出射する１つの発光素子１０６と、発光素子１０６に供給するための電気エネルギーを蓄える１つのコンデンサ１０７とを有している。
【０００４】
このような光電式感知器では、発光素子１０６の動作（駆動）時に、発光素子１０６に大電流を流す必要があり、この電流を確保するためにコンデンサ１０７が設けられており、このコンデンサ１０７に蓄えられた電気エネルギーを発光素子１０６に供給して発光素子１０６を発光させるようにしている。
【０００５】
より具体的に、図２の発光手段１０２に駆動信号ＣＴＬが入力するとき、トランジスタＴＲがオンとなり、コンデンサ１０７に蓄えられている電気エネルギーが発光素子１０６に供給されて発光素子１０６から波長λの光を出射させることができる。
【０００６】
【発明が解決しようとする課題】
ところで、光電式感知器として、例えば特開昭５１−１５４８７号に示されているように、異なる２波長λ1，λ2の光を用いる感知器が知られている。図３は、この種の光電式感知器の構成例を示す図である。図３を参照すると、この光電式感知器は、この感知器全体の制御を行なう制御手段１１と、制御手段１１によって駆動されるときに波長λ1，λ2の光を出射する発光手段１２と、発光手段１２から出射される波長λ1，λ2の光の散乱光を受光する受光手段１３と、受光手段１３からの波長λ1の散乱光出力(光強度出力)ｙと波長λ2の散乱光出力(光強度出力)ｇとの比（散乱光出力比；２波長比）ｙ／ｇを算出する散乱光出力比算出手段１４と、散乱光出力比算出手段１４によって算出された散乱光出力比に基づき、例えば火災か否かを判別する判別手段１５と、判別結果を出力する出力手段１６とを有している。なお、発光手段１２と受光手段１３との間の空間Ｅは、検出対象である例えば煙が存在しうる環境である。
【０００７】
ここで、判別手段１５は、散乱光出力比（２波長比）が予め設定された値の範囲に入っているか否かを判定することで、例えば煙の種類(質)を判断して(例えば、ある特定の粒子径範囲にある煙のみを検出して)、例えば火災か否かを判別するようになっている。すなわち、非火災要因であるホコリや水蒸気等の影響を除去し、例えば火災要因となる煙のみを検出するようになっている。
【０００８】
また、発光手段１２には、波長λ1の光を出射する第１の発光素子と、波長λ1とは異なる波長λ2の光を出射する第２の発光素子とが設けられている。具体的には、第１の発光素子は、例えば青色(λ1)の光を出射する青色発光ダイオードＬＥＤ1により構成され、また、第２の発光素子は、例えば近赤外(λ2)の光を出射する近赤外発光ダイオードＬＥＤ2により構成されている。この場合、前述したように、第１の発光素子，第２の発光素子の各動作時（各駆動時）に、第１，第２の発光素子に大電流を流す必要があり、この電流を確保するために、第１の発光素子，第２の発光素子のそれぞれにコンデンサを設けることが考えられる。すなわち、複数の発光素子を備えた感知器では、発光時のエネルギーは多く必要となるので、発光素子毎にコンデンサを用意することが考えられる。
【０００９】
図４は本願の発明者により案出された発光手段１２の構成例を示す図である。図４を参照すると、この発光手段１２は、第１の発光素子２１と、第２の発光素子２２と、第１の発光素子２１に供給するための電気エネルギーを蓄える第１の電気エネルギー蓄積手段（例えばコンデンサ）２３と、第２の発光素子２２に供給するための電気エネルギーを蓄える第２の電気エネルギー蓄積手段（例えばコンデンサ）２４とを有しており、第１，第２の電気エネルギー蓄積手段２３，２４に蓄えられている電気エネルギーの第１，第２の発光素子２１，２２への供給は、制御手段１１からの駆動信号ＣＴＬ1，ＣＴＬ2によってそれぞれ制御されるようになっている。
【００１０】
より具体的に、図４の発光手段１２に駆動信号ＣＴＬ1が入力するとき、トランジスタＴＲ1がオンとなり、第１の電気エネルギー蓄積手段２３に蓄えられている電気エネルギーが第１の発光素子２１に供給されて第１の発光素子２１から波長λ1の光を出射させることができ、また、図４の発光手段１２に駆動信号ＣＴＬ2が入力するとき、トランジスタＴＲ2がオンとなり、第２の電気エネルギー蓄積手段２４に蓄えられている電気エネルギーが第２の発光素子２２に供給されて第２の発光素子２２から波長λ2の光を出射させることができる。
【００１１】
図５は駆動信号ＣＴＬ1，ＣＴＬ2の一例を示すタイムチャートである。図５の例では、各駆動信号ＣＴＬ1，ＣＴＬ2のパルス幅および周期は、いずれも同じものとなっている。すなわち、パルス幅はいずれもＷであり、また、周期はＴとなっている。しかしながら、駆動信号ＣＴＬ2は、駆動信号ＣＴＬ1に対して所定時間ｔ(ｔ＜Ｔ)だけ遅延したものとなっている。
【００１２】
このような駆動信号ＣＴＬ1，ＣＴＬ2が用いられる場合、第１の発光素子２１からは、周期Ｔで、波長λ1の光(例えば青色光)がパルス幅Ｗに対応した期間、出射され、また、第２の発光素子２２からは、第１の発光素子２１からの波長λ1の光(例えば青色光)の出射より時間ｔだけ遅れて、周期Ｔで、波長λ2の光(例えば近赤外光)がパルス幅Ｗに対応した期間、出射される。
【００１３】
すなわち、第１の発光素子２１からの波長λ1の散乱光(例えば青色光)の受光手段１３におけるサンプリング時点(サンプリング周期Ｔ)と第２の発光素子２２からの波長λ2の光(例えば近赤外光)の受光手段１３におけるサンプリング時点(サンプリング周期Ｔ)との間には、時間ｔのずれがあり、この時間ｔのずれによって、異なる２波長λ1，λ2の光を時間的に交互に出射させて、異なる２波長λ1，λ2の散乱光を時間的に交互に受光手段１３で受光させ、受光手段１３において、異なる２波長λ1，λ2の散乱光の光強度ｙ，ｇを時間的に交互に得ることができる。
【００１４】
なお、ここで、波長λ1の散乱光の光強度ｙは、波長λ1の光に対する環境Ｅ内の煙濃度(％／ｍ)を反映したものとなっており、また、波長λ2の散乱光の光強度ｇは、波長λ2の光に対する環境Ｅ内の煙濃度(％／ｍ)を反映したものとなっている。
【００１５】
このように、発光手段１２として、図４に示すように、第１，第２の発光素子２１，２２のそれぞれに対応させて第１，第２の電気エネルギー蓄積手段２３，２４を設けることで、第１，第２の発光素子２１，２２のそれぞれに、各発光素子２１，２２の発光に必要な電気エネルギーを供給することができる。
【００１６】
しかしながら、第１，第２の発光素子２１，２２のそれぞれに対応させて第１，第２の電気エネルギー蓄積手段２３，２４を設ける場合には、部品点数や部品実装面積が増加してしまうなどの問題があった。
【００１７】
本発明は、複数の発光素子が用いられる場合にも、部品点数や部品実装面積を増加させることなく、複数の発光素子のそれぞれに必要な電気エネルギーを効率的に供給することの可能な感知器を提供することを目的としている。
【００１８】
【課題を解決するための手段】
上記目的を達成するために、請求項１記載の発明は、複数の発光素子と、複数の発光素子に共通に設けられ、各発光素子に供給するための電気エネルギーを蓄える電気エネルギー蓄積手段と、電気エネルギー蓄積手段に蓄えられている電気エネルギーの各発光素子への供給を制御する制御手段とを備え、前記制御手段は、複数の発光素子に共通に設けられた前記電気エネルギー蓄積手段に蓄えられている電気エネルギーを、順方向電圧の高い発光素子から順に、各発光素子に時間的にタイミングをずらして供給して発光させ、順方向電圧の低い発光素子の発光により、前記電気エネルギー蓄積手段から供給される電圧が順方向電圧の高い発光素子の順方向電圧よりも低くなるようになっていることを特徴としている。
【００１９】
また、請求項２記載の発明は、請求項１記載の感知器において、複数の発光素子として青色ＬＥＤと近赤外ＬＥＤとが用いられる場合、制御手段は、複数の発光素子に共通に設けられた前記電気エネルギー蓄積手段に蓄えられている電気エネルギーを、青色ＬＥＤ，近赤外ＬＥＤの順に時間的にタイミングをずらして供給することを特徴としている。
【００２０】
また、請求項３記載の発明は、請求項１または請求項２記載の感知器において、電気エネルギー蓄積手段は、１つのコンデンサにより構成されていることを特徴としている。
【００２１】
【発明の実施の形態】
以下、本発明の実施形態を図面に基づいて説明する。図６は本発明に係る感知器の構成例を示す図である。なお、図６において、図３と同様の箇所には同じ符号を付している。
【００２２】
図６を参照すると、この感知器は、この感知器全体の制御を行なう制御手段１１と、制御手段１１によって駆動されるときに波長λ1，λ2の光を出射する発光手段３２と、発光手段３２から出射される波長λ1，λ2の光の散乱光を受光する受光手段１３と、受光手段１３からの波長λ1の散乱光出力(光強度出力)ｙと波長λ2の散乱光出力(光強度出力)ｇとの比（散乱光出力比；２波長比）ｙ／ｇを算出する散乱光出力比算出手段１４と、散乱光出力比算出手段１４によって算出された散乱光出力比に基づき、例えば火災か否かを判別する判別手段１５と、判別結果を出力する出力手段１６とを有している。なお、発光手段３２と受光手段１３との間の空間Ｅは、検出対象である例えば煙が存在しうる環境である。
【００２３】
ここで、発光手段３２には、波長λ1の光を出射する第１の発光素子と、波長λ1とは異なる波長λ2の光を出射する第２の発光素子とが設けられている。具体的には、第１の発光素子は、例えば青色(λ1)の光を出射する青色発光ダイオードＬＥＤ1により構成され、また、第２の発光素子は、例えば近赤外(λ2)の光を出射する近赤外発光ダイオードＬＥＤ2により構成されている。この場合、前述したように、第１の発光素子，第２の発光素子の各動作時（各駆動時）に、第１，第２の発光素子に大電流を流す必要があり、この電流を確保するために、本発明では、第１，第２の発光素子に共通に電気エネルギー蓄積手段（例えば、１つのコンデンサ）を設け、共通に設けた電気エネルギー蓄積手段（例えば、１つのコンデンサ）から各発光素子に電気エネルギーを供給するようにしている。
【００２４】
図７は本発明の発光手段３２の構成例を示す図である。図７を参照すると、この発光手段３２は、第１の発光素子２１と、第２の発光素子２２と、第１の発光素子２１，第２の発光素子２２に供給するための電気エネルギーを蓄える電気エネルギー蓄積手段（例えば１つのコンデンサ）３５とを有しており、電気エネルギー蓄積手段３５に蓄えられている電気エネルギーの第１，第２の発光素子２１，２２への供給は、制御手段１１からの駆動信号ＣＴＬ1，ＣＴＬ2によってそれぞれ駆動制御されるようになっている。
【００２５】
より具体的に、図７の発光手段３２に駆動信号ＣＴＬ1が入力するとき、トランジスタＴＲ1がオンとなり、電気エネルギー蓄積手段３５に蓄えられている電気エネルギーが第１の発光素子２１に供給されて第１の発光素子２１から波長λ1の光を出射させることができ、また、図７の発光手段３２に駆動信号ＣＴＬ2が入力するとき、トランジスタＴＲ2がオンとなり、電気エネルギー蓄積手段３５に蓄えられている電気エネルギーが第２の発光素子２２に供給されて第２の発光素子２２から波長λ2の光を出射させることができる。
【００２６】
このように、本発明では、第１の発光素子２１，第２の発光素子２２に共通に電気エネルギー蓄積手段（例えば１つのコンデンサ）３５を設け、この電気エネルギー蓄積手段（例えば１つのコンデンサ）３５に蓄えられている電気エネルギーを第１，第２の発光素子２１，２２に供給するようになっている。
【００２７】
ところで、第１の発光素子２１の順方向電圧ＶF1と第２の発光素子２２の順方向電圧ＶF2とが相違する場合に（例えば、第１の発光素子２１の順方向電圧ＶF1が第２の発光素子２２の順方向電圧ＶF2よりも高い場合に）、図８に示すように、電気エネルギー蓄積手段３５に蓄えられている電気エネルギーを、順方向電圧の低い第２の発光素子２２から順に供給するときには（順方向電圧の低い第２の発光素子２２を先ず発光させ、しかる後、順方向電圧の高い第１の発光素子２１を発光させるときには）、第１の発光素子２１に供給される電気エネルギー（電気エネルギー蓄積手段（例えば１つのコンデンサ）３５から供給される電圧）が第１の発光素子２１の順方向電圧ＶF1以下となり、第１の発光素子２１を正常に発光させることができないことがある。
【００２８】
具体的に、第１の発光素子２１が青色ＬＥＤであり、第２の発光素子２２が近赤外ＬＥＤである場合、同程度のＳ／Ｎ比を得るためには、第１の発光素子（青色ＬＥＤ）２１の順方向電圧は第２の発光素子（近赤外ＬＥＤ）２２の順方向電圧の約３〜４倍程度、必要となる。従って、この場合には、電気エネルギー蓄積手段（例えば１つのコンデンサ）３５に蓄えられている電気エネルギーを、図８に示すように、順方向電圧の低い第２の発光素子２２から順に供給するときには（順方向電圧の低い第２の発光素子２２を先ず発光させ、しかる後、順方向電圧の高い第１の発光素子２１を発光させるときには）、第１の発光素子２１に供給される電気エネルギー（電気エネルギー蓄積手段（例えば１つのコンデンサ）３５から供給される電圧）が第１の発光素子２１の順方向電圧ＶF1以下となり、第１の発光素子２１を正常に発光させることができない。このように、コンデンサから発光素子に電流を流す場合、発光素子が正常に発光するためには、コンデンサの端子間の電圧が発光回路動作時の順方向電圧以上である必要がある。
【００２９】
このため、本発明では、第１の発光素子２１の順方向電圧ＶF1と第２の発光素子２２の順方向電圧ＶF2とが相違する場合に（例えば、第１の発光素子２１の順方向電圧ＶF1が第２の発光素子２２の順方向電圧ＶF2よりも高い場合に）、図９に示すように、電気エネルギー蓄積手段（例えば１つのコンデンサ）３５に蓄えられている電気エネルギーを、順方向電圧の高い第１の発光素子２１から順に供給するようにしている（順方向電圧の高い第１の発光素子２１を先ず発光させ、しかる後、順方向電圧の低い第２の発光素子２２を発光させるようにしている）。この場合には、図９に示すように、第１の発光素子２１に供給される電気エネルギー（電気エネルギー蓄積手段（例えば１つのコンデンサ）３５から供給される電圧）は、第１の発光素子２１の順方向電圧ＶF1以上であり、また、第２の発光素子２２に供給される電気エネルギー（電気エネルギー蓄積手段（例えば１つのコンデンサ）３５から供給される電圧）も、第２の発光素子２２の順方向電圧ＶF2以上であり、第１の発光素子２１と第２の発光素子２２との両方を正常に発光させることができる。
【００３０】
具体的に、第１の発光素子２１が青色ＬＥＤであり、第２の発光素子２２が近赤外ＬＥＤである場合、同程度のＳ／Ｎ比を得るためには、第１の発光素子（青色ＬＥＤ）２１の順方向電圧は第２の発光素子（近赤外ＬＥＤ）２２の順方向電圧の約３〜４倍程度、必要となるが、本発明では、電気エネルギー蓄積手段（例えば１つのコンデンサ）３５に蓄えられている電気エネルギーを、図９に示すように、順方向電圧の高い順に、すなわち、第１の発光素子（青色ＬＥＤ）２１，第２の発光素子（近赤外ＬＥＤ）２２の順に供給することで、第１の発光素子（青色ＬＥＤ）２１と第２の発光素子（近赤外ＬＥＤ）２２との両方を正常に発光させることができる。
【００３１】
このように、本発明では、順方向電圧の高い第１の発光素子２１を先に動作させることで、１つのコンデンサだけでも第１の発光素子２１，第２の発光素子２２に効率的に電気エネルギーを供給することができる（すなわち、順方向電圧の高い第１の発光素子２１を正常に動作（発光）させ、しかる後、順方向電圧の低い第２の発光素子２２をも正常に動作（発光）させることができる）。
【００３２】
なお、上述の例では、第１の発光素子２１，第２の発光素子２２の２つの発光素子を用いる場合について述べたが、さらに多くの発光素子（２個以上の発光素子）を用いる場合にも、同様に、電気エネルギー蓄積手段（例えば１つのコンデンサ）３５に蓄えられている電気エネルギーを順方向電圧の高い発光素子から順に供給することで、１つのコンデンサだけでも、各発光素子を正常に発光させることが可能となる。
【００３３】
このように、本発明は、複数の発光素子と、複数の発光素子に共通に設けられ、各発光素子に供給するための電気エネルギーを蓄える電気エネルギー蓄積手段３５と、電気エネルギー蓄積手段３５に蓄えられている電気エネルギーの各発光素子への供給を制御する制御手段１１とを備え、制御手段１１は、電気エネルギー蓄積手段（例えば１つのコンデンサ）３５に蓄えられている電気エネルギーを、順方向電圧の高い発光素子から順に、各発光素子に時間的にタイミングをずらして供給し、各発光素子を時間的にタイミングをずらして発光させるようになっているので、発光素子毎に電気エネルギー蓄積手段（例えばコンデンサ）を用意する必要がなく（すなわち、コンデンサの個数を増加させることなく）、各発光素子を正常に動作させるに必要な電気エネルギーを各発光素子に供給することができ、従って、コンデンサなどの部品点数や部品実装面積を増加させることなく、発光手段（発光回路）を構成することができる。
【００３４】
特に、本発明では、複数の発光素子として青色ＬＥＤと近赤外ＬＥＤとが用いられる場合、制御手段１１は、電気エネルギー蓄積手段（例えば１つのコンデンサ）３５に蓄えられている電気エネルギーを、青色ＬＥＤ，近赤外ＬＥＤの順に時間的にタイミングをずらして供給するので、１つのコンデンサだけで青色ＬＥＤ，近赤外ＬＥＤを順に、正常に発光させることができる。
【００３５】
図１０は図６，図７の感知器の具体例を示す図である。図１０の例では、この感知器は、物理量として煙濃度を検出して電気信号(アナログ信号)に変換する物理量検出部４１と、該物理量検出部４１から出力されるアナログ信号を所定の周期でサンプルしてデジタル信号に変換するＡ／Ｄ変換部４２と、この感知器のアドレスが設定されるアドレス部４３と、異常(例えば火災)判断などの感知器全体の制御を行なうＣＰＵ４４と、ＣＰＵ４４の制御プログラムなどが格納されるＲＯＭ４５と、各種のワークエリアなどとして使用されるＲＡＭ４６と、感知器固有の個別データなどが格納される不揮発性メモリ４７と、物理量検出部４１で検出されＡ／Ｄ変換部４２でデジタル信号に変換された物理量(煙濃度)の検出結果(Ａ／Ｄ変換部４２からの出力レベル)が、例えば所定の作動閾値レベル(例えば火災レベル)を越えてＣＰＵ４４で火災などの異常と判断されたときに、作動状態(オン状態)を表わす信号を伝送路(例えばＬ，Ｃ線路)３に出力する状態出力部４８と、例えば受信機１との間で伝送路３を介した伝送を行なう伝送部(通信インタフェース部)４９とを備えている。
【００３６】
換言すれば、図１０の例の感知器は、所謂センサアドレス用感知器(その検出出力信号からすれば、オンオフ型感知器に属する)として構成されている。そして、図１０の構成において、物理量検出部４１が図６，図７の発光手段３２，受光手段１３の機能を備えている場合、ＣＰＵ４４によって図６の制御手段１１，散乱光出力比算出手段１４，判別手段１５の機能を実現することができる。また、状態出力部４８，伝送部４９によって図６の出力手段１６の機能を実現することができる。
【００３７】
また、図１０のＲＡＭ４６や不揮発性メモリ４７などには、例えば、物理量検出部４１(受光手段１３)から交互に出力される出力値ｙ，ｇや、散乱光出力比算出手段１４で算出された２波長比などを格納することができる。
【００３８】
なお、このような感知器は、例えば、監視制御システム(例えば防災システム)の一要素として、図１０に示すように監視制御システム(例えば防災システム)に組込んで用いることができる。図１０を参照すると、この監視制御システム(例えば防災システム)は、受信機(例えば、アドレッサブルなｐ型受信機)１と、受信機１によって監視制御される上記構成の感知器２とを有している。
【００３９】
図１０の例では、感知器がセンサアドレス用感知器として構成されているとして説明したが、感知器としては、図６，図７の構成を備えたものであれば良く、任意のオンオフ型煙感知器に適用することができる。従って、図１０の構成例において、アドレス部４３などは、必ずしも設けられていなくとも良い。
【００４０】
また、上述の例では、本発明をオンオフ型の感知器に適用した場合について説明したが、本発明は、アナログ型の感知器に適用することもできる。図１１は感知器がアナログ型の感知器として構成されている場合のＲ型の監視制御システムの構成例を示す図である。図１１を参照すると、この監視制御システムは、受信機(例えば、Ｒ型受信機)５１と、受信機５１からの伝送路５３に接続され、受信機５１によって監視制御されるアナログ型の感知器５２とを有している。
【００４１】
ここで、感知器５２には、異なる２波長λ1，λ2の散乱光を時間的に交互に受光する構成の感知器が用いられている。すなわち、感知器５２には、例えば、物理量として煙濃度を検出して電気信号(アナログ信号)に変換する物理量検出部６１と、該物理量検出部６１から出力されるアナログ信号を所定の周期でサンプルしてデジタル信号に変換するＡ／Ｄ変換部６２と、この感知器のアドレスが設定されるアドレス部６３と、受信機５１からのアドレスポーリングの周期に同期させて全体の制御を行なうＣＰＵ６４と、受信機５１との間でデータ，信号の送受を行なう伝送部６５とが設けられている。
【００４２】
ここで、物理量検出部６１には、図７に示す構成の発光手段３２と、受光手段１３との機能が備わっており、ＣＰＵ６４は、受信機５１からアドレスポーリングがあるときに、駆動信号ＣＴＬ1，ＣＴＬ2を時間差ｔで出力し、物理量検出部６１から時間的に交互に(時間差ｔで)出力される異なる２波長λ1，λ2の散乱光出力信号をＡ／Ｄ変換部６２でデジタル信号に変換して伝送部６５に与え、伝送部６５から異なる２波長λ1，λ2の散乱光出力データを受信機５１に返送するようになっている。
【００４３】
また、この場合、受信機５１には、感知器５２との間での伝送制御等を行なう伝送部５４と、煙検知処理等を行なう制御部５５とが設けられており、受信機５１の制御部５５内には、感知器５２から送られる波長λ1の散乱光出力ｙと波長λ2の散乱光出力ｇとの比（散乱光出力比；２波長比）ｙ／ｇを算出する散乱光出力比算出手段１４と、散乱光出力比算出手段１４によって算出された散乱光出力比に基づき、例えば火災か否かを判別する判別手段１５と、判別結果を出力する出力手段１６との機能が設けられている。
【００４４】
このような構成では、受信機５１は、感知器５２をアドレスポーリングし、感知器５２から、波長λ1の散乱光出力ｙと波長λ2の散乱光出力ｇとを得るとき、感知器５２からの波長λ1の散乱光出力ｙと波長λ2の散乱光出力ｇの比を算出して、例えば火災か否かを判別し、判別結果を出力手段１６により出力することができる。例えば、火災と判断したときには、警報出力などを行なうことができる。
【００４５】
このように、本発明は、アナログ型の感知器にも適用できる。
【００４６】
また、上述の各例では、感知器が光散乱式感知器であるとしたが、本発明は、減光式感知器にも同様に適用できる。
【００４７】
このように、本発明は、複数の発光素子から出射させる光の強度を受光手段において時間的に交互に受光する構成のものであれば、任意の感知器に適用することができる。
【００４８】
【発明の効果】
以上に説明したように、請求項１乃至請求項３記載の発明によれば、複数の発光素子と、複数の発光素子に共通に設けられ、各発光素子に供給するための電気エネルギーを蓄える電気エネルギー蓄積手段と、電気エネルギー蓄積手段に蓄えられている電気エネルギーの各発光素子への供給を制御する制御手段とを備え、前記制御手段は、複数の発光素子に共通に設けられた前記電気エネルギー蓄積手段に蓄えられている電気エネルギーを、順方向電圧の高い発光素子から順に、各発光素子に時間的にタイミングをずらして供給して発光させ、順方向電圧の低い発光素子の発光により、前記電気エネルギー蓄積手段から供給される電圧が順方向電圧の高い発光素子の順方向電圧よりも低くなるようになっているので、複数の発光素子が用いられる場合にも、部品点数や部品実装面積を増加させることなく、複数の発光素子のそれぞれに必要な電気エネルギーを効率的に供給することの可能な感知器を提供することができる。
【図面の簡単な説明】
【図１】従来の光電式感知器の構成例を示す図である。
【図２】図１の感知器の発光手段の回路構成を示す図である。
【図３】異なる２波長λ1，λ2の光を用いる従来の感知器の構成例を示す図である。
【図４】本願の発明者により案出された発光手段の構成例を示す図である。
【図５】駆動信号ＣＴＬ1，ＣＴＬ2の一例を示すタイムチャートである。
【図６】本発明に係る感知器の構成例を示す図である。
【図７】本発明の発光手段の構成例を示す図である。
【図８】電気エネルギー蓄積手段（例えば１つのコンデンサ）に蓄えられている電気エネルギーを、順方向電圧の低い第２の発光素子から順に供給するときの様子を示す図である。
【図９】電気エネルギー蓄積手段（例えば１つのコンデンサ）に蓄えられている電気エネルギーを、順方向電圧の高い第１の発光素子から順に供給するときの様子を示す図である。
【図１０】図６，図７の感知器の具体例を示す図である。
【図１１】感知器がアナログ型の感知器として構成されている場合のＲ型の監視制御システムの構成例を示す図である。
【符号の説明】
１，５１            受信機
２，５２            感知器
３，５３            受信機から延びる伝送路
１１                制御手段
３２                発光手段
１３                受光手段
１４                散乱光出力比算出手段
１５                判別手段
１６                出力手段
２１                第１の発光素子
２２                第２の発光素子
３５                電気エネルギー蓄積手段
４１，６１          物理量検出部
４２，６２          Ａ／Ｄ変換部
４３，６３          アドレス部
４４，６４          ＣＰＵ
４５                ＲＯＭ
４６                ＲＡＭ
４７                不揮発性メモリ
４８                状態出力部
４９                伝送部
６５                伝送部
【図１】
0003871489.tif 000002
【図２】
0003871489.tif 000003
【図３】
0003871489.tif 000004
【図４】
0003871489.tif 000005
【図５】
0003871489.tif 000006
【図６】
0003871489.tif 000007
【図７】
0003871489.tif 000008
【図８】
0003871489.tif 000009
【図９】
0003871489.tif 000010
【図１０】
0003871489.tif 000011
【図１１】
0003871489.tif 000012